(57)【要約】【課題】多種類の形状が想定されるケーブルの保持に適した電子機器におけるケーブル保持構造を提供する。【解決手段】筐体表面２ａから突出して互いに対向する第１および第２の壁部１３，１４を有しかつ第１および第２の壁部１３，１４のそれぞれの先端から互いに向き合うように突出する第１および第２の抜け止め部１５，１６を有する第１のケーブル保持部１１を備える。第１の壁部１３と第２の壁部１４との間であって、これらの第１および第２の壁部１３，１４が並ぶ方向とは交差する方向に第１および第２の壁部１３，１４から離れた位置に、筐体表面２ａから第１および第２の壁部１３，１４より低く突出する突出部１８を備えた。【選択図】  図１
2020178056.tif 000002
【特許請求の範囲】
【請求項１】
筐体表面から突出して互いに対向する第１および第２の壁部を有しかつ前記第１および第２の壁部のそれぞれの先端から互いに向き合うように突出する第１および第２の抜け止め部を有するケーブル保持部と、
前記第１の壁部と前記第２の壁部との間であって、これらの第１および第２の壁部が並ぶ方向とは交差する方向に前記第１および第２の壁部から離れた位置に設けられ、前記筐体表面から前記第１および第２の壁部より低く突出する突出部とを備えたことを特徴とする電子機器におけるケーブル保持構造。
【請求項２】
請求項１記載の電子機器におけるケーブル保持構造において、
前記突出部は、前記ケーブル保持部を挟む両側に設けられていることを特徴とする電子機器におけるケーブル保持構造。
【請求項３】
請求項１または請求項２記載の電子機器におけるケーブル保持構造において、
二つの前記ケーブル保持部が前記第１および第２の壁部が並ぶ方向に所定の間隔をおいて第１のケーブル保持部と第２のケーブル保持部として並べて設けられ、
前記第１のケーブル保持部における前記第２のケーブル保持部と隣接する前記第１または第２の壁部に、前記第２のケーブル保持部に向けて突出する第３の抜け止め部を先端に有する第３の壁部を設け、
前記第３の壁部と、前記第２のケーブル保持部における前記第３の壁部と近接する前記第１または第２の壁部との間隔は、
前記第１の壁部と前記第２の壁部との間の間隔と、
前記第１の壁部と前記突出部との間の間隔と、
前記第２の壁部と前記突出部との間の間隔とのいずれの間隔とも異なっていることを特徴とする電子機器におけるケーブル保持構造。
【発明の詳細な説明】
【技術分野】
【０００１】
本発明は、電話機等の電子機器における送受話器やヘッドセット等のケーブルを保持するケーブル保持構造に関する。
【背景技術】
【０００２】
従来のネットワーク機器や電話機等の電子機器には、電源ケーブル、ＬＡＮケーブル、電話回線等のケーブルなど、多くの種類のケーブルが接続されている。これらのケーブルは、電子機器との接続部となるコネクタに負荷が直接かかることを防いだり、余剰分を束ねて整理するために、電子機器の筐体の周囲や裏面でケーブル保持構造によって保持されている。
【０００３】
この種のケーブルを保持する従来のケーブル保持構造としては、例えば特許文献１に記載されているように筐体に設けられた溝と脱落防止部材とを用いてケーブルを筐体に固定するものや、特許文献２に示すように、筐体とは別部材として形成されたケーブル保持部材でケーブルを筐体に固定するものがある。また、特許文献３に開示されているように、結束バンドを使用してケーブルを筐体に固定するケーブル保持構造もある。
【先行技術文献】
【特許文献】
【０００４】
【特許文献１】実開昭６４−３９６８７号公報
【特許文献２】特開２００５−２４３８７８号公報
【特許文献３】特開２００５−５１００３号公報
【発明の概要】
【発明が解決しようとする課題】
【０００５】
特許文献１に記載されているケーブル保持構造では、ケーブルの径や断面形状に合わせて設計する必要がある。特許文献２に記載されているケーブル保持構造では、筐体とは別にケーブル保持部材を形成する必要があり、このケーブル保持部材を筐体に取付ける作業も必要になる。このため、ケーブル保持作業が煩雑になる。特許文献３に開示されたケーブル保持構造は、断面形状や径が異なるケーブルが個別に固定される筐体には不向きである。
【０００６】
本発明の目的は、多種類の形状が想定されるケーブルの保持に適した電子機器におけるケーブル保持構造を提供することを目的とする。
【課題を解決するための手段】
【０００７】
この目的を達成するために、本発明に係る電子機器におけるケーブル保持構造は、筐体表面から突出して互いに対向する第１および第２の壁部を有しかつ前記第１および第２の壁部のそれぞれの先端から互いに向き合うように突出する第１および第２の抜け止め部を有するケーブル保持部と、前記第１の壁部と前記第２の壁部との間であって、これらの第１および第２の壁部が並ぶ方向とは交差する方向に前記第１および第２の壁部から離れた位置に設けられ、前記筐体表面から前記第１および第２の壁部より低く突出する突出部とを備えたものである。
【０００８】
本発明は、前記電子機器におけるケーブル保持構造において、前記突出部は、前記ケーブル保持部を挟む両側に設けられていてもよい。
【０００９】
本発明は、前記ケーブル保持構造において、二つの前記ケーブル保持部が前記第１および第２の壁部が並ぶ方向に所定の間隔をおいて第１のケーブル保持部と第２のケーブル保持部として並べて設けられ、前記第１のケーブル保持部における前記第２のケーブル保持部と隣接する前記第１または第２の壁部に、前記第２のケーブル保持部に向けて突出する第３の抜け止め部を先端に有する第３の壁部を設け、前記第３の壁部と、前記第２のケーブル保持部における前記第３の壁部と近接する前記第１または第２の壁部との間隔は、前記第１の壁部と前記第２の壁部との間の間隔と、前記第１の壁部と前記突出部との間の間隔と、前記第２の壁部と前記突出部との間の間隔とのいずれの間隔とも異なっていてもよい。
【発明の効果】
【００１０】
本発明においては、第１の壁部と第２の壁部との間に形成される第１の保持空間と、第１の壁部と突出部との間に形成される第２の保持空間と、第２の壁部と突出部との間に形成される第３の保持空間との３つの保持空間が一つのケーブル保持部に設けられる。これらの第１〜第３の保持空間の中から１つを選んでケーブルを保持することができる。これらの第１〜第３の保持空間の広さは、互いに異なる広さとすることが可能である。したがって、本発明によれば、多種類の形状が想定されるケーブルの保持に適した電子機器におけるケーブル保持構造を提供することができる。
【図面の簡単な説明】
【００１１】
【図１】第１の実施の形態によるケーブル保持構造の斜視図である。
【図２】ケーブル保持構造の平面図である。
【図３】ケーブル保持構造の正面図である。
【図４】図２におけるIV−IV線断面図である。
【図５】ケーブル保持構造および筐体の一部を示す斜視図である。
【図６】平ケーブルを保持したケーブル保持構造の正面図である。
【図７】平ケーブルを保持したケーブル保持構造の平面図である。
【図８】細いケーブルを保持したケーブル保持構造の正面図である。
【図９】細いケーブルを保持したケーブル保持構造の平面図である。
【図１０】極細ケーブルを保持したケーブル保持構造の正面図である。
【図１１】極細ケーブルを保持したケーブル保持構造の平面図である。
【図１２】第２の実施の形態によるケーブル保持構造の平面図である。
【図１３】細いケーブルを保持したケーブル保持構造の正面図である。
【図１４】細いケーブルを保持したケーブル保持構造の平面図である。
【発明を実施するための形態】
【００１２】
（第１の実施の形態）
以下、本発明に係る電子機器におけるケーブル保持構造の一実施の形態を図１〜図１１を参照して詳細に説明する。
図１に示すケーブル保持構造１は、ネットワーク装置や電話機等の電子機器の筐体２に接続されたケーブル３，４を保持するためのものである。この実施の形態は、電話機の筐体２に本発明に係るケーブル保持構造１を設ける場合の一例について説明する。
【００１３】
筐体２は、プラスチック材料によって所定の形状に形成されている。ケーブル保持構造１は、筐体２と一体成形により一体に形成されている。筐体２には、図５に示すように、ヘッドセット用ケーブル３のコネクタ（図示せず）が挿通される穴５と、ハンドセット用ケーブル４のコネクタ（図示せず）が挿通される穴６とが形成されている。これらの穴５，６は、ケーブル保持構造１が位置する筐体表面２ａから筐体２の厚み方向（図５おいては上下方向）に突出した凸部７に形成されている。
【００１４】
この実施の形態によるケーブル保持構造１は、２本のケーブル３，４を個別に保持するために、第１のケーブル保持部１１と第２のケーブル保持部１２とを備えている。これらの第１および第２のケーブル保持部１１，１２のうち、図１において左側に描かれている第１のケーブル保持部１１は、筐体表面２ａから突出する第１の壁部１３と第２の壁部１４とを有している。これらの第１の壁部１３と第２の壁部１４は、これらの第１および第２の壁部１３，１４が並ぶ方向とは直交する方向に幅が広くなるように形成されており、互いに対向している。第１のケーブル保持部１１と第２のケーブル保持部１２は、第１の壁部１３と第２の壁部１４とが並ぶ方向に所定の間隔をおいて並べて設けられている。
【００１５】
以下においては、第１の壁部１３と第２の壁部１４とが並ぶ方向を左右方向といい、第１および第２の壁部１３，１４が並ぶ方向とは直交する方向であって筐体表面２ａに沿う方向を前後方向という。図１においては、左下側が左側になり、右上側が右側になる。また、図１においては、右下側が前側となり、左上側が後側となる。すなわち、第１の壁部１３は、第２の壁部１４の左側であって、前後方向において同一の位置に配置されている。
【００１６】
第１の壁部１３の先端には第１の抜け止め部１５が設けられ、第２の壁部１４の先端には第２の抜け止め部１６が設けられている。第１の抜け止め部１５と第２の抜け止め部１６は、第１、第２の壁部１３，１４の先端から互いに向き合うように突出している。第１の抜け止め部１５と第２の抜け止め部１６とは、ケーブル３，４が通過できる隙間をおいて互いに対向している。第１の壁部１３と第２の壁部１４との間には、貫通穴１７が形成されている。この貫通穴１７は、図示していない成形用金型によって形成された穴である。
【００１７】
第１および第２の壁部１３，１４の前側近傍には突出部１８が設けられている。突出部１８は、第１の壁部１３と第２の壁部１４との間であって、これらの第１および第２の壁部１３，１４が並ぶ方向（左右方向）とは交差する方向（前後方向）に第１および第２の壁部１３，１４から離れた位置に形成されている。この実施の形態による突出部１８は、第１および第２の壁部１３，１４より前側（コネクタ挿通用の穴５，６とは反対側）に設けられている。
【００１８】
突出部１８が筐体表面２ａから突出する突出量は、第１および第２の壁部１３，１４が筐体表面２ａから突出する突出量より少ない。すなわち、突出部１８は、筐体表面２ａから第１および第２の壁部１３，１４より低く突出するように形成されている。この実施の形態による突出部１８は、左右方向において、第１の壁部１３と第２の壁部１４との間の中央に位置付けられている。しかし、突出部１８の左右方向の位置は、第１の壁部１３に近付く位置であったり、第２の壁部１４に近付く位置でもよい。
【００１９】
第２のケーブル保持部１２は、第１のケーブル保持部１１と同様に第１の壁部１３と第２の壁部１４とを有している。第２のケーブル保持部１２の第１および第２の壁部１３，１４の先端にも第１および第２の抜け止め部１５，１６が互いに向き合うように設けられている。第２のケーブル保持部１２においても、第１の壁部１３と第２の壁部１４との間に貫通穴１７が形成されている。
【００２０】
第１のケーブル保持部１１と第２のケーブル保持部１２との間には第３の壁部２１が設けられている。第３の壁部２１は、第１のケーブル保持部１１の第２の壁部１４に設けられ、筐体表面２ａから突出している。第３の壁部２１の先端には、第２のケーブル保持部１２に向けて突出する第３の抜け止め部２２が設けられている。
【００２１】
第３の壁部２１と、第２のケーブル保持部１２における第３の壁部２１と近接する第１の壁部１３との間隔Ｄ１（図３参照）は、第１の壁部１３と第２の壁部１４との間の間隔Ｄ２と、第１の壁部１３と突出部１８との間の間隔Ｄ３と、第２の壁部１４と突出部１８との間の間隔Ｄ４とのいずれの間隔とも異なっている。この実施の形態による間隔Ｄ１は、間隔Ｄ２〜Ｄ４のいずれの間隔より狭い。
【００２２】
このように構成されたケーブル保持構造１においては、図５に示すように、ヘッドセット用ケーブル３が第１のケーブル保持部１１に通され、ハンドセット用ケーブル４が第２のケーブル保持部１２に通される。ヘッドセット用ケーブル３には、詳細は後述するが、断面形状や径が異なる複数の種類のケーブルが用いられている。また、ヘッドセット用ケーブル３は、コネクタ挿通用の穴５に対して左方向および筐体２の厚み方向に曲げられて撓んだ状態で第１のケーブル保持部１１に導かれる。一方、ハンドセット用ケーブル４は、１種類のケーブルが用いられており、コネクタ挿通用の穴６から左右方向に大きく撓むことなく筐体２の厚み方向に曲げられて撓んだ状態で第２のケーブル保持部１２に導かれる。
【００２３】
ヘッドセット用ケーブル３が図６および図７に示すように平ケーブル３Ａである場合は、この平ケーブル３Ａの相対的に広い面が筐体表面２ａと対向するような状態で第１の壁部１３と第２の壁部１４との間に挿入される。この平ケーブル３Ａは、幅方向の両端部が第１および第２の抜け止め部１５，１６に当接する状態で、幅方向の中央部が突出部１８によって筐体表面２ａとは反対側に向けて押される。このため、平ケーブル３Ａは、幅方向の中央部が筐体表面２ａとは反対側に向けて凸になるように湾曲する。このように平ケーブル３Ａが第１および第２の抜け止め部１５，１６と突出部１８とに押し付けられることによって、平ケーブル３Ａが第１のケーブル保持部１１に保持される。
【００２４】
ヘッドセット用ケーブル３が図８および図９に示すように細いケーブル３Ｂである場合は、第１または第２の壁部１３，１４と突出部１８との間に直線状に延びる状態で挿入される。図８および図９に示す細いケーブル３Ｂは、第１の壁部１３と、第１の抜け止め部１５と、突出部１８とにそれぞれ押し付けられた状態で第１のケーブル保持部１１に保持される。
【００２５】
ヘッドセット用ケーブル３が図１０および図１１に示すように極細ケーブル３Ｃである場合は、第３の壁部２１と第２のケーブル保持部１２の第１の壁部１３との間に挿入される。極細ケーブル３Ｃは、第３の壁部２１と、第３の抜け止め部２２と、第２のケーブル保持部１２の第１の壁部１３とによって囲まれた隙間に通された状態で、第３の壁部２１、第３の抜け止め部２２および第１の壁部１３によって保持される。
【００２６】
このように構成されたケーブル保持構造１は、第１の壁部１３と第２の壁部１４との間に形成される第１の保持空間Ｓ１（図１参照）と、第１の壁部１３と突出部１８との間に形成される第２の保持空間Ｓ２と、第２の壁部１４と突出部１８との間に形成される第３の保持空間Ｓ３との３つの保持空間を有している。これらの第１〜第３の保持空間Ｓ１〜Ｓ３の中から１つを選んでケーブル３を保持することができる。これらの第１〜第３の保持空間Ｓ１〜Ｓ３の広さは、互いに異なる広さとすることが可能である。したがって、この実施の形態によれば、多種類の形状が想定されるケーブルの保持に適した電子機器におけるケーブル保持構造を提供することができる。
【００２７】
この実施の形態においては、第３の抜け止め部２２を先端に有する第３の壁部２１が第１のケーブル保持部１１の第２の壁部１４に設けられている。このため、第１のケーブル保持部１１と第２のケーブル保持部１２との間のデッドスペースを有効に利用でき、極細ケーブル３Ｃや極太ケーブル（図示せず）を保持することが可能なケーブル保持構造をコンパクトに構成することができる。
【００２８】
（第２の実施の形態）
第１のケーブル保持部は、図１２〜図１４に示すように構成することができる。これらの図において、図１〜図１１によって説明したものと同一もしくは同等の部材については、同一符号を付し詳細な説明を適宜省略する。
図１２に示す第１のケーブル保持部１１は、二つの突出部１８，１８を備えている。これらの突出部１８，１８は、第１のケーブル保持部１１を挟むように、第１のケーブル保持部１１に対して前後方向の両側に設けられている。
【００２９】
この実施の形態を採る場合は、図１３および図１４に示すように、ヘッドセット用ケーブル３として細いケーブル３Ｂを後側の突出部１８の左側を通して第１の壁部１３と第２の壁部１４との間に導き、さらに、前側の突出部１８の右側を通して第１のケーブル保持部１１の前方に引き出す。この実施形態によれば、細いケーブル３Ｂがいわゆる「たすき掛け」の状態で保持されるようになるから、細いケーブル３Ｂをより一層強固に保持できるようになる。
【符号の説明】
【００３０】
１…ケーブル保持構造、２…筐体、２ａ…筐体表面、１１…第１のケーブル保持部、１２…第２のケーブル保持部、１３…第１の壁部、１４…第２の壁部、１５…第１の抜け止め部、１６…第２の抜け止め部、１８…突出部、２１…第３の壁部、２２…第３の抜け止め部、Ｄ１〜Ｄ４…間隔。
【図１】
2020178056.tif 000003
【図２】
2020178056.tif 000004
【図３】
2020178056.tif 000005
【図４】
2020178056.tif 000006
【図５】
2020178056.tif 000007
【図６】
2020178056.tif 000008
【図７】
2020178056.tif 000009
【図８】
2020178056.tif 000010
【図９】
2020178056.tif 000011
【図１０】
2020178056.tif 000012
【図１１】
2020178056.tif 000013
【図１２】
2020178056.tif 000014
【図１３】
2020178056.tif 000015
【図１４】
2020178056.tif 000016